(57)【要約】【課題】  本発明は、刈草ときのこ廃菌床とを堆肥とし、この堆肥を廃土に混入してこの廃土の栄養を回復させることで、この廃土の付加価値を高めて廃土の利用用途を広げることができるだけでなく、従来産業廃棄物として処分されていた廃土や刈草、きのこ廃菌床を有効利用することによって、これらの廃棄物処理に係るコストや自然環境に対する負荷を軽減できることになる等、実用性に秀れた廃土の土質改良方法を提供することを課題とする。【解決手段】  刈草１及びきのこ廃菌床２を細砕化し、続いて、この細砕化した刈草１及びきのこ廃菌床２を発酵させて堆肥３とし、続いて、この堆肥３を廃土４に混入してこの廃土４の土質を改良する廃土の土質改良方法である。【選択図】      図１
2007063438.tif 000002
【特許請求の範囲】
【請求項１】
刈草及びきのこ廃菌床を細砕化し、続いて、この細砕化した刈草及びきのこ廃菌床を発酵させて堆肥とし、続いて、この堆肥を廃土に混入してこの廃土の土質を改良することを特徴とする廃土の土質改良方法。
【請求項２】
前記きのこ廃菌床は、少なくともビール酵母及びトウモロコシの芯が含まれることを特徴とする請求項１に記載の廃土の土質改良方法。
【請求項３】
前記発酵は、コンクリートミキサー等の回転攪拌装置内に、前記細砕化した刈草及びきのこ廃菌床を投入し、この回転攪拌装置内で攪拌を施しながら行うことを特徴とする請求項１，２のいずれか１項に記載の廃土の土質改良方法。
【請求項４】
前記堆肥は、固化剤とともに前記廃土に混入することを特徴とする請求項１〜３のいずれか１項に記載の廃土の土質改良方法。
【発明の詳細な説明】
【技術分野】
【０００１】
本発明は、建築工事や土木工事等の工事現場で発生する廃土（残土）の土質改良方法に関するものである。
【背景技術】
【０００２】
従来、建築工事や土木工事等の工事現場では、廃土（残土）が大量に発生するが、この廃土には植物の生長に必要とされる窒素、リン、カリウム等の栄養分がほとんど含まれないため、現在、廃土の主な利用用途は道路等の盛土材等に限定されており、大部分が再利用されずに産業廃棄物として埋め立て処分されているのが現状である。
【０００３】
同様に、河川や道路脇等の刈草や、きのこ栽培工場等で発生したきのこ廃菌床も有効利用が図られることなく産業廃棄物として焼却処分されている。
【発明の開示】
【発明が解決しようとする課題】
【０００４】
しかしながら、上述した廃土や、刈草、きのこ廃菌床等を産業廃棄物として処理することは、廃棄物処理に係るコストや自然環境に対する負荷の点で好ましくない。
【０００５】
本発明は、刈草ときのこ廃菌床とを堆肥とし、この堆肥を廃土に混入してこの廃土の栄養を回復させることで、この廃土の付加価値を高めて廃土の利用用途を広げることができるだけでなく、従来産業廃棄物として処分されていた廃土や刈草、きのこ廃菌床を有効利用することによって、これらの廃棄物処理に係るコストや自然環境に対する負荷を軽減できることになる等、実用性に秀れた廃土の土質改良方法を提供するものである。
【課題を解決するための手段】
【０００６】
添付図面を参照して本発明の要旨を説明する。
【０００７】
刈草１及びきのこ廃菌床２を細砕化し、続いて、この細砕化した刈草１及びきのこ廃菌床２を発酵させて堆肥３とし、続いて、この堆肥３を廃土４に混入してこの廃土４の土質を改良することを特徴とする廃土の土質改良方法に係るものである。
【０００８】
また、前記きのこ廃菌床２は、少なくともビール酵母及びトウモロコシの芯が含まれることを特徴とする請求項１に記載の廃土の土質改良方法に係るものである。
【０００９】
また、前記発酵は、コンクリートミキサー等の回転攪拌装置８内に、前記細砕化した刈草１及びきのこ廃菌床２を投入し、この回転攪拌装置８内で攪拌を施しながら行うことを特徴とする請求項１，２のいずれか１項に記載の廃土の土質改良方法に係るものである。
【００１０】
また、前記堆肥３は、固化剤11とともに前記廃土４に混入することを特徴とする請求項１〜３のいずれか１項に記載の廃土の土質改良方法に係るものである。
【発明の効果】
【００１１】
本発明は上述のように、刈草ときのこ廃菌床とから堆肥を得、この堆肥を廃土に混入することにより廃土に不足している窒素、リン及びカリウム等の栄養分を補強したから、この廃土の付加価値を高めて廃土の利用用途を広げることができるとともに、従来産業廃棄物として処分されていた廃土や刈草、きのこ廃菌床の有効利用によって、これらの廃棄物処理に係るコストや自然環境に対する負荷を軽減し得ることになる実用性に秀れた廃土の土質改良方法となる。
【００１２】
また、請求項２に記載の発明によれば、きのこ廃菌床にビール酵母が含まれるから、このビール酵母によって刈草及びきのこ廃菌床の発酵を促進することができ、しかもきのこ廃菌床にはトウモロコシの芯も含まれるから、このトウモロコシの芯に含まれる糖分を栄養としてビール酵母等の微生物が増殖したり活性化したりすることになり、これにより刈草及びきのこ廃菌床の発酵効率を向上させることができる一層実用性に秀れた廃土の土質改良方法となる。
【００１３】
また、請求項３に記載の発明によれば、コンクリートミキサー等の回転攪拌装置内に細砕化した刈草及びきのこ廃菌床を投入し、この回転攪拌装置内で刈草及びきのこ廃菌床を攪拌しながら発酵するから、攪拌によって刈草及びきのこ廃菌床を発酵する微生物に効率良く酸素が供給されて刈草及びきのこ廃菌床の微生物による発酵を良好に進行させることができるとともに、攪拌によって刈草及びきのこ廃菌床をムラなく均一に混じり合わせながら微生物による発酵を進行させることができ、これにより均一に発酵が施された良質の堆肥を得ることができることになり、しかも、刈草及びきのこ廃菌床の発酵をコンクリートミキサー等の回転攪拌装置内で外部と隔てながら行うから、刈草及びきのこ廃菌床の発酵に伴う臭気の外部への拡散も防止することができる一層実用性に秀れた廃土の土質改良方法となる。
【００１４】
また、請求項４に記載の発明によれば、堆肥を混入して改質された廃土に固化剤を混入するから、固化剤の適宜な選定により、例えば改質された廃土を粒状固化し、この改質された廃土から粉塵や濁水を発生させないようにすることができ、従って、この改質された廃土の利用性を向上させることができる等、極めて実用性に秀れた廃土の土質改良方法となる。
【発明を実施するための最良の形態】
【００１５】
好適と考える本発明の実施形態（発明をどのように実施するか）を、図面に基づいて本発明の作用を示して簡単に説明する。
【００１６】
刈草１及びきのこ廃菌床２を細砕化し、この細砕化した刈草１及びきのこ廃菌床２を発酵させて堆肥３とし、この堆肥３を廃土４に混入して廃土４の土質を改良する。
【００１７】
本発明における刈草１とは河川や道路脇等に自生する草を刈り取って得られるものであり、また、きのこ廃菌床２とはきのこの人工栽培により発生するものであり、従来産業廃棄物として焼却処分されているが、この刈草１及びきのこ廃菌床２を細砕化し、発酵することにより、この刈草１及びきのこ廃菌床２の細砕化物中に微生物が繁殖して有機物が分解されると共に、窒素、リン及びカリウムを豊富に含む堆肥３となる。
【００１８】
また、本発明における廃土４とは、建築工事や土木工事等の工事現場で発生する廃土４（残土）であり、植物の生長に必要とされる窒素、リン、カリウム等の栄養分がほとんど含まれないため、道路等の盛土材等に再利用する以外は埋め立て処分されているものであるが、上記窒素、リン及びカリウムを豊富に含む堆肥３を混入することで、栄養分が回復し、植物の種子等の発芽や成長が良好に行われることになる。
【００１９】
従って、本発明では、廃土４の付加価値を高めて廃土４の利用用途が広がるだけでなく、従来産業廃棄物として処分されていた廃土４や刈草１、きのこ廃菌床２を有効利用することによって、これらの廃棄物処理に係るコストや自然環境に対する負荷を軽減し得ることになる。
【００２０】
また、例えば、前記きのこ廃菌床２は、少なくともビール酵母及びトウモロコシの芯が含まれる構成とすれば、ビール酵母等の微生物によって刈草１及びきのこ廃菌床２の発酵が促進し、しかもきのこ廃菌床２にはトウモロコシの芯も含まれるから、このトウモロコシの芯に含まれる糖分を栄養として微生物が増殖したり活性化したりすることにより、刈草１及びきのこ廃菌床２の発酵が一層効率的に行われる。
【００２１】
また、例えば、前記発酵は、コンクリートミキサー等の回転攪拌装置８内に、前記細砕化した刈草１及びきのこ廃菌床２を投入し、この回転攪拌装置８内で攪拌を施しながら行う構成とすれば、攪拌によって刈草１及びきのこ廃菌床２を発酵する微生物に効率良く酸素を供給して刈草１及びきのこ廃菌床２の発酵が極めて良好に進行するとともに、攪拌によって刈草１及びきのこ廃菌床２がムラなく均一に混じり合いながら発酵が進行するため、これにより均一に発酵が施された良質の堆肥３を得られることになり、しかも、刈草１及びきのこ廃菌床２の発酵をコンクリートミキサー等の回転攪拌装置７内で外部と隔てながら行うから、刈草１及びきのこ廃菌床２の発酵に伴う臭気の外部への拡散が防止される。
【００２２】
また、例えば、前記堆肥３は、固化剤11とともに前記廃土４に混入する構成とすれば、固化剤11の適宜な選定により、例えば改質された廃土４を粒状固化し、この改質された廃土４から粉塵や濁水を発生させないようにすることで、この改質された廃土４の利用性が向上する。
【実施例】
【００２３】
本発明の具体的な実施例について図面に基づいて説明する。
【００２４】
本実施例は、廃土の改良方法であって、図１に図示したように、刈草１ときのこ廃菌床２とを回収し、この回収した刈草１ときのこ廃菌床２とをシュレッダー６により粉砕して細砕化物とし、この細砕化物を回転攪拌装置８に投入し、攪拌しながら分解発酵させて堆肥３とし、この堆肥３を完熟させて完熟した堆肥３とし、この完熟した堆肥３、廃土４及び固化剤11を土質改良機10に投入して廃土４を改質された廃土６とする場合である。
【００２５】
本実施例は具体的には、前記刈草１として道路脇・河川の刈草１（例えば、１トン）、及びきのこ廃菌床２（例えば、０．３トン）をシュレッダー６にて０．５ｃｍ程度に細かく粉砕し、細砕化物を得た。
【００２６】
前記刈草１及びきのこ廃菌床２は細かければ細かい程、分解発酵が早く、堆肥化時間の短縮や肥効の向上が期待できるため、少なくとも一辺が２ｃｍより細かくなるように粉砕することが好ましい。
【００２７】
また、本実施例において、前記きのこ廃菌床２としてビール酵母及びトウモロコシの芯が含まれるものを採用した。
【００２８】
きのこ廃菌床２中にビール酵母及びトウモロコシの芯が含まれることで、前記ビール酵母等の微生物が刈草１及びきのこ廃菌床２の発酵に寄与することになるとともに、このビール酵母等の微生物がきのこ廃菌床２に含まれるトウモロコシの芯に含まれる糖分を栄養として増殖することになるため、この刈草１及びきのこ廃菌床２の細砕化物中に微生物が良好に繁殖して有機物の分解発酵を促進できることになる。
【００２９】
尚、オガ粉の多く含まれるきのこ廃菌床２は好ましくない。即ち、オガ粉にはリグニン等の難分解性の有機物が多く、微生物分解が困難であるため、このような難分解性の有機物の多いオガ粉の含有率が少ないきのこ廃菌床２を用いることが好ましい。
【００３０】
次に、本実施例は、前記細砕化物をベルトコンベアー７により回転攪拌装置８に投入した。
【００３１】
尚、本実施例の回転攪拌装置８は、細砕化物を投入し易いように投入口を改造したコンクリートミキサー８を用いた。従って、前記ベルトコンベアー７とこのコンクリートミキサー８の細砕化物を投入し易い投入口とにより細砕化物の投入作業を効率よく行うことが可能となった。
【００３２】
次に、本実施例は、コンクリートミキサー８内で前記細砕化物を定期的に攪拌しながら発酵させた。
【００３３】
具体的な攪拌条件は、１日に１０回、１回に付き１０分程度の攪拌を行う設定とし、これを１週間継続させて粉砕化物を堆肥化した。
【００３４】
このように細砕化物を定期的に攪拌しながら発酵させることで、細砕化物中の通気性が良好となるため、微生物に酸素が良好に供給されて微生物による刈草１及びきのこ廃菌床２の細砕化物の分解発酵を促進することができた。
【００３５】
また、攪拌によって、細砕化物の発酵度合いにムラが生じることがなくなり、全体的に均一な発酵が施された良質の堆肥３を得ることができた。
【００３６】
しかも本実施例においては、刈草１及びきのこ廃菌床２の攪拌をコンクリートミキサー８内で外部と隔てながら行うため、攪拌時に発生する臭いが外部に漏れることを防止できた。
【００３７】
尚、本実施例以外にも発酵度合いに合わせて上記攪拌条件を適宜設定して良い。
【００３８】
次に、本実施例は、堆肥３をストックヤード９に搬入し、完熟度合いを高めるために９０〜１８０日間堆積し、完熟した堆肥３を得た。
【００３９】
前記堆肥３は、堆積中に更に発酵が進み、この堆肥３の温度が高温になるため、植物に対する病原菌の滅菌効果が期待できる。
【００４０】
更に、堆積中に有機物の腐熟度合いが高まり、堆肥３中の有機物が安定化するとともに、堆肥３中に含有される窒素、リン、カリウム等の栄養分の肥効を得られ易い状態の堆肥３とすることができる。
【００４１】
次に、前記完熟した堆肥３を廃土４の発生する建設現場や、廃土４の中間処理を行う工場等に搬入する。
【００４２】
本実施例は、廃土４として建設現場から排出される、脱水ケーキ（残土）に前記完熟した堆肥３を混入して改質された廃土５とした。
【００４３】
具体的には、土質改良機10を用いて１トンの廃土４に対し、０．３〜０．４トンの完熟した堆肥３、及び０．３〜０．４トンの固化剤11を混合した。
【００４４】
このように、本実施例は、１トンの廃土４に対し、０．３〜０．４トンの完熟した堆肥３を混入することで、廃土４に植物の生長に必要とされる窒素、リン、カリウム等の栄養分を補強することができた。
【００４５】
尚、完熟した堆肥３が０．３〜０．４トンより少ないと、改質された廃土５中の窒素、リン、カリウム等の栄養分が不十分となり、植物の種子等の発芽や成長が良好に行われないため好ましくなく、０．３〜０．４トンより多いと、改質された廃土５がコスト高となったり、改質された廃土５中の窒素、リン、カリウム等の栄養分が過剰となって地下水汚染等の恐れがあるため好ましくない。
【００４６】
また、本実施例は、廃土４と完熟した堆肥３とに更に固化剤11を混合するが、前記固化剤11として、セメント系、石灰系、造粒剤等の適宜なものを採用して良い。
【００４７】
固化剤11の適宜な選定により、例えば改質された廃土５を粒状固化し、この改質された廃土５から粉塵や濁水を発生させないようにすることができる。
【００４８】
尚、固化剤11の種類によっては改質された廃土５がアルカリ性となるため、適宜な改質剤を用いて中性域に調整することが好ましい。
【００４９】
本実施例により得られた改質された廃土５は、完熟した堆肥３によって植物の生長に必要とされる窒素、リン、カリウム等の栄養分が補強され、植物の種子等の発芽や成長が良好に行われ得る土質になるため、従来の利用用途である道路等の盛土材等に限定されるものでなく、法面や緑地帯、公園にも適した性質を有するものとなった。
【００５０】
また、前記刈草１は、牛糞等に比べ炭素率が大きいため、この刈草１を発酵させて堆肥化した本実施例の堆肥３は、他の窒素肥料の急激な作用を緩和できる。また、土壌の透水性や保水性、通気性、耕し易さ等の物理性の改良効果及びＣａやＭｇ、Ｋ等の陽イオンの保持能力の増加も期待できる。
【００５１】
また、本実施例において、完熟前の堆肥３を前記廃土４に混入しても良いが、窒素、リン、カリウム等の栄養分の肥効の点では完熟した堆肥３を用いる方が好ましい。
【００５２】
尚、本発明は、本実施例に限られるものではなく、各構成要件の具体的構成は適宜設計し得るものである。
【図面の簡単な説明】
【００５３】
【図１】本発明の一実施例を示す説明図である。
【符号の説明】
【００５４】
１  刈草
２  きのこ廃菌床
３  堆肥
４  廃土
８  回転攪拌装置
11  固化剤
【図１】
2007063438.tif 000003